(57)【要約】  濃化すべき溶液及び／又は懸濁液の４０〜９０％が液体表面から出発して及び濃化すべき溶液及び／又は懸濁液の残りの部分がコンテナ底部から出発して濃化される浮遊挙動を有するヒドロゲル、該ヒドロゲルの製造方法、並びに特に衛生用品における、血液及び／又は体液の吸収のため、又は水溶液及び／又は懸濁液の濃化のため、特に医療廃棄物の濃化のための使用。【特許請求の範囲】
【請求項１】
浮遊挙動を有するヒドロゲルにおいて、濃化すべき溶液及び／又は懸濁液の４０〜９０％が液体表面から出発して、かつ濃化すべき溶液及び／又は懸濁液の残りの部分がコンテナ底部から出発して濃化されることを特徴とする、浮遊挙動を有するヒドロゲル。
【請求項２】
凝固時間が１２０秒未満及び／又は血液吸収が少なくとも１０ｇ／ｇである、請求項1記載のヒドロゲル。
【請求項３】
乾燥させたヒドロゲルを、疎水性化合物及び場合により親水性化合物で後処理することを特徴とする、ヒドロゲルの製造方法。
【請求項４】
疎水性化合物及び場合により親水性化合物が、０．００１〜１０μｍの平均直径を有する粒子である、請求項３記載の方法。
【請求項５】
疎水性化合物が、疎水化されたケイ酸又はケイ酸と酸化アルミニウムとからなる疎水化された混合物である、請求項３又は４記載の方法。
【請求項６】
親水性化合物が、ケイ酸又はケイ酸と酸化アルミニウムとからなる混合物である、請求項３から５までのいずれか１項記載の方法。
【請求項７】
ヒドロゲルを、付加的に多価カチオン及び場合により界面活性剤で後処理する、請求項３から６までのいずれか１項記載の方法。
【請求項８】
多価カチオンがアルミニウムイオンである、請求項７記載の方法。
【請求項９】
界面活性剤がソルビタンエステルである、請求項７又は８記載の方法。
【請求項１０】
多価カチオンを水溶液として計量供給し、かつ界面活性剤が１８未満のＨＬＢ−値を有する、請求項７から９までのいずれか１項記載の方法。
【請求項１１】
後処理したヒドロゲルを乾燥させる、請求項３から１０までのいずれか１項記載の方法。
【請求項１２】
血液及び／又は体液の吸収のため又は水溶液及び／又は懸濁液の濃化のための、請求項１又は２記載のヒドロゲルの使用。
【請求項１３】
医療廃棄物の濃化のための、請求項１又は２記載のヒドロゲルの使用。
【請求項１４】
衛生用品における、請求項１２記載の使用。
【請求項１５】
請求項１又は２のいずれか１項記載のヒドロゲルを含有している、衛生用品。
【請求項１６】
請求項３から１１までのいずれか１項により製造された生成物と、殺生物性、抗微生物性及び／又は抗菌性の物質及び／又は香料又は芳香剤、安定剤、染料、ｐＨ−指示薬及び／又は他の助剤との混合物。
【発明の詳細な説明】
【技術分野】
【０００１】
本発明は、血液及び／又は体液を吸収するヒドロゲル、前記の血液及び／又は体液を吸収するヒドロゲルの製造方法並びにそれらの使用に関する。
【０００２】
本発明のさらなる実施態様は、特許請求の範囲、明細書及び実施例から得られることができる。本発明による対象の前記の特徴及び以下にさらに説明されうる特徴が、その都度記載された組合せにおいてだけでなく、本発明の範囲から離れることなく、他の組合せにおいても使用可能であることが理解される。
【０００３】
膨潤可能なヒドロゲル形成性ポリマー、いわゆる超吸収体（Super-Absorbing Polymers、ＳＡＰ）は技術水準から公知である。
【０００４】
膨潤可能なヒドロゲル形成性ポリマーは、特に、（共）重合された親水性モノマーからなるポリマー、適しているグラフトベース上の１つ又はそれ以上の親水性モノマーのグラフト（コ）ポリマー、架橋されたセルロースエーテル又はデンプンエーテル、架橋されたカルボキシメチルセルロース、部分的に架橋されたポリアルキレンオキシド又は水性液体中で膨潤可能な天然物、例えばグァー誘導体である。そのようなヒドロゲルは、おむつ、タンポン、生理用ナプキン及び他の衛生用品を製造するための水溶液を吸収する製品として、しかしまた農業園芸における保水剤として、又は全ての種類の廃棄物、特に医療廃棄物の濃化のために使用される。
【０００５】
膨潤可能なヒドロゲル形成性ポリマーは、好ましくは、使用されるポリマーに対して自重の少なくとも１０倍、好ましくは自重の少なくとも２０倍の０．９質量％食塩溶液の吸収を有するようなポリマーである。この吸収は、好ましくは、例えば０．７psiの圧力下でも達成される。
【０００６】
使用特性を改善するために、膨潤可能なヒドロゲル形成性ポリマーは、通常、表面後架橋又はゲル後架橋される。
【０００７】
この後架橋は、当業者にそれ自体として公知であり、かつ好ましくは水性ゲル相中で、又は粉砕されかつふるい分けされたポリマー粒子の表面後架橋として、行われる。
【０００８】
廃棄物、特に医療廃棄物及び有毒な、感染性の又はヒト及び環境にとって危険な物質で汚染されている各々の種類の廃棄物は、安全に取り扱われ、かつ輸送されなければならない。超吸収体は、液状廃棄物を取り込むことにより、大部分の危険な物質を固定することができる。
【０００９】
医療廃棄物、特に手術室からの病院廃棄物は、とりわけ、血液、体液及び洗浄溶液として使用される生理的食塩水からなる。
【００１０】
従来の超吸収体は、衛生用品、とりわけ赤ちゃん用おむつにおいて、尿を吸収する目的で最適化されている。これらは常に、合成尿又は生理的食塩水と比較して血液の本質的により少ない吸収を示す。血液及び生理的食塩水の吸収が本質的に異なる場合には、廃棄物の組成に応じて異なる量の超吸収体が添加されなければならない。このことは実地において、超吸収体が原則的にはるかに過量添加されなければならないか、又は場合により超吸収体が後計量供給されなければならないことを意味するであろう。しかしながら、その場合に、実際に密閉されたコンテナが、場合により何度も再び開けなければならず、このことは、付加的な時間を必要とし、かつ廃棄物を扱わなければならない人々にとって危険を意味する。
【００１１】
故に、市販の超吸収体よりも多量の血液を吸収することができる超吸収体を提供することは極度に有利である。それゆえ、病院廃棄物及び医療廃棄物の場合に、異なる血液量を有する溶液が、同じく良好に凝固されることができる。
【００１２】
超吸収体で医療廃棄物を処理する場合のさらなる観点は吸収速度である。市販の超吸収体の場合、特に赤ちゃん用おむつ及び失禁用製品のためには、極めて高い吸収速度は有利ではない、それというのも、吸収すべき液体はまず最初に、吸収用品全体に分配されるべきだからである。極めて高い膨潤速度を有する超吸収体は、衛生用品中での液体の均一な分布を可能にするのではなく、全ての液体を直ちに吸収する。従来のおむつとは異なり、医療廃棄物及び女性用衛生製品、例えばタンポン、ナプキン及びライナー(Einlagen)の場合に、血液及び／又は体液の迅速な吸収は決定的である。高い吸収速度は、医療廃棄物をできるだけ迅速に吸収し、ひいては固定化するために重要である。
【００１３】
迅速な凝固は、例えば輸送及び貯蔵の際に、これらの廃棄物のより迅速でより安全な取り扱いを可能にする。
【００１４】
医療廃棄物の吸収についてのさらに有利な挙動は、添加された超吸収体の一部が溶液への添加後に液体表面上で浮き、かつそれ以外の部分が沈む場合である。それにより、一方では迅速な濃化は発生される、それというのも該超吸収体は両方の界面から膨潤することができるからであり、他方では、液体の表面は直ちに超吸収体で覆われ、かつ物質、例えばウイルス又は細菌が外へ出ることが難しくなり、特に、液体の飛び散りが回避される。
【００１５】
女性用衛生製品の場合に、液体を迅速に体から離れて輸送し、かつ該衛生用品中に貯蔵するために、迅速な吸収が望ましい。迅速な吸収及び高い膨潤速度に加えて、高い保持率も必要である。
【００１６】
衛生用品にとっては、より高い血液吸収は本質的な利点である、なぜならば、それにより着用快適性に基づいて顧客に好まれる極めて有効で薄い衛生用品の開発が可能だからである。
【００１７】
国際公開第WO-A-99/55767号明細書には、架橋されていない又は共有(kovalent)架橋されたヒドロゲルの表面後架橋のためのアルミン酸塩の使用が記載されている。該明細書には、その後の架橋によりゲル強度、液体及び血液の吸収、特に圧力下での吸収が改善されることが教示されている。しかし後架橋されたヒドロゲルの膨潤速度及び浮遊挙動は不満足である。
【００１８】
ドイツ連邦共和国特許出願公開第DE-A-199 09 653号明細書には、後架橋反応の前又は後にカチオンの水溶液を施与することが教示されている。この処理が後架橋反応の前又は後に実施されるどうかには依存せずに、この処理により、必要とされる性質は達成されることができない。
【００１９】
国際公開第WO-A-00/10496号明細書には、湿らせた超吸収体上へカオリナイトを施与し、引き続いて乾燥させることによって血液の吸収に最適化された材料が記載されている。該明細書は、多様なコーティングの組合せを教示しておらず、かつ所望の性質を有する超吸収体を得るには単独では不十分である。
【００２０】
国際公開第WO-A-95/17455号明細書には、膨潤された状態でも水の上に浮くことができる多孔性の超吸収体が記載されている。このことは超吸収体中の分散された窒素により発生され、かつ後処理により実現されることができない。また、超吸収体が完全に液体上に浮く場合には応用技術的に不利である。
【００２１】
欧州特許公開第EP-A-0 759 460号明細書には、大量の表面後架橋試薬の添加により新たに後架橋された材料が記載されている。しかしながら、より高い架橋は、極めて高い血液吸収を有する製品をもたらさない。
【００２２】
国際公開第WO-A-95/19191号明細書には、改善された血液吸収を有する超吸収性材料の製造が記載されている。そのためには市販の超吸収体に付加的にポリオール、例えばポリエチレングリコール又はグリセリンが噴霧される。その場合にポリマーストランド(Polymerstraenge)の付加的な架橋は本質的には水素架橋結合により行われる。この明細書の教示に従い得ることができる超吸収体も、不足している浮遊度に基づいて液体表面のカバーリングに適していない。
【００２３】
特許出願公開明細書WO-A-98/42193、CA-A-2,188,838、WO-A-95/15771及びJP-A-03/044367には、殺生物剤、例えばポリビニルピロリドン／ヨウ素−錯体及びグルタルジアルデヒドを有する超吸収体の使用が記載されている。その際に市販の超吸収体は殺生物剤と混合される。このことは血液吸収の改善をもたらすことも、吸収速度の増大をもたらすこともなく、ただ濃化された溶液の消毒だけをもたらす。
【００２４】
特開平(JP-A)第06/345980号公報には、超吸収体とアニオン性界面活性剤との混合物が記載されている。これは血液吸収も改善せず、吸収速度も高めない。
【００２５】
故に、最適に医療廃棄物の凝固に適している特別な超吸収体を開発するという課題が存在していた。この超吸収体は、迅速な吸収並びに濃化又は凝固により、医療廃棄物の安全な取り扱いを可能にしなければならない。
【００２６】
さらに解決すべき課題は、本質的に高められた血液吸収及び迅速な膨潤速度を同時に示す超吸収体を提供することにある。そのような超吸収体は、各々の種類の廃棄物、特に医療廃棄物の濃化に適しているだけでなく、女性用衛生製品、例えばタンポン、ナプキン及びパンティライナー(Slipeinlagen)の場合の液体の吸収に、極めて良好に使用されることもできるであろう。
【００２７】
さらに解決すべき課題は、溶液への添加後に少なくとも部分的に液体表面上に浮くのに対し、それ以外の部分が沈む超吸収体を提供することにある。それにより、一方では液状廃棄物の迅速な濃化は引き起こされる、それというのも該超吸収体は両方の界面から膨潤することができるからであり、他方では、液体の表面は直ちに超吸収体で覆われ、かつ物質、例えばウイルス、桿菌又は細菌が外へ出ることは困難になる。
【００２８】
意外にも、疎水性化合物及び場合により親水性化合物で公知の超吸収性材料を本発明により後処理することによって、より高い膨潤速度及び改善された血液吸収が達成されることが目下見出された。好ましくは、粒状の疎水性化合物及び場合により親水性化合物が使用される。疎水性化合物での後処理のためには、特に疎水化された熱分解法ケイ酸又は熱分解法ケイ酸及び熱分解法酸化アルミニウムからなる疎水化された混合物が適している。親水性化合物での後処理のためには、特に熱分解法ケイ酸又は熱分解法ケイ酸及び熱分解法酸化アルミニウムからなる混合物が適している。
【００２９】
本発明による方法において使用可能な超吸収性材料は、ヒドロゲル又はヒドロゲル混合物である。ヒドロゲルの含水量は、好ましくは２０質量％未満、特に好ましくは１０質量％未満、極めて特に好ましくは１質量％未満である。
【００３０】
“疎水性”及び“親水性”という概念は、水での表面の湿潤挙動を記載する。疎水性表面上で、水滴のぬれ角もしくは接触角(Rand- bzw. Kontaktwinkel)は＜９０°であり、かつ親水性表面上で、水滴のぬれ角もしくは接触角は＞９０°である。ぬれ角もしくは接触角は例えばColloid Polym. Sci., 259巻 (1981), 391〜394頁に記載されている。
【００３１】
例えば、熱分解法ケイ酸の粒子表面上には遊離ヒドロキシ基が存在する。これらのヒドロキシ基を通じて水素架橋結合が可能である。それにより熱分解法ケイ酸は親水性である。
【００３２】
熱分解法ケイ酸と例えばトリメチルクロロシランとの反応により、遊離ヒドロキシ基はシリルエーテル基へ変換されることができる。シリルエーテル基はもはや水素架橋結合を形成することができない。該熱分解法ケイ酸は疎水化されている。
【００３３】
その場合に親水性粒子及び疎水性粒子の量は有利には、高められた膨潤速度並びに膨潤過程の開始時に液体表面上での超吸収体−粒子の部分的な浮遊が達成されるように選択される。疎水性粒子での付加的なコーティングにより、超吸収体の一部は、濃化すべき液体への必要な全ての超吸収体量の添加後に濃化すべき材料の表面上に残留する。こうして処理された超吸収体のそれ以外の部分はゆっくりと濃化すべき溶液中へ沈んでいく、それというのも、ポリアクリレートをベースとする超吸収体は、通常、濃化すべき溶液よりも高い密度を有するからである。処理なしでは、市販の超吸収体は、単に添加直後にのみ溶液中へ沈むであろう。
【００３４】
その際に疎水性粒子の使用量は個々に調節されることができ、その場合に濃化すべき液体上で浮遊する後処理された超吸収体の含分は、疎水性粒子の含量が増大すると共に増大する。該超吸収体が例えば親水性物質でも後処理される場合には、疎水性粒子量は場合により高められることができる。
【００３５】
まず最初に部分的に表面上に残留する量の超吸収体により、該超吸収体は目下、容器の底部から上へだけでなく表面から下へも、濃化すべき溶液中への膨潤が始まる。それゆえ、同時に複数の応用技術的な利点がもたらされる：
・一方では、濃化すべき溶液はより迅速に凝固される、それというのも、両側から膨潤する超吸収体は、半分の膨潤距離だけを進む必要があるからである。
・他方では、濃化すべき溶液の表面は事実上直ちに超吸収体で覆われている。該超吸収体はついで容器上のコルク栓のように作用し、かつ廃棄物の安全な輸送及び安全な廃棄を可能にする、それというのも、コンテナの輸送の間に、液状の汚染された成分がもはや外へ出ることができないからである。
【００３６】
親水性粒子及び疎水性粒子の組合せにより、膨潤過程の開始時に水及び水性表面上で少なくとも部分的に浮遊し、かつ医療廃棄物を有する容器の中味を迅速に凝固させることができる、高い膨潤速度を有する超吸収体が製造されることができる。
【００３７】
本発明の対象は、次の工程を含んでいる吸収性ヒドロゲルの後処理方法である：
・少なくとも１つの疎水性化合物、好ましくは疎水性の及び／又は疎水化された粘土鉱物、疎水化された酸化アルミニウム及び／又は疎水化されたケイ酸、特に好ましくは疎水化された酸化アルミニウム及び／又は疎水化されたケイ酸、例えばAerosil（登録商標） R 812、Aerosil（登録商標） R 974又はAerosil（登録商標） R 8200 (Degussa Aktiengesellschaft、DE)で後処理する工程。
・場合により、少なくとも１つの親水性化合物、好ましくは親水性の粘土鉱物、酸化アルミニウム及び／又はケイ酸、特に好ましくは酸化アルミニウム及び／又はケイ酸、例えばAerosil（登録商標） 200 (Degussa Aktiengesellschaft、DE)で後処理する工程。
【００３８】
好ましくは、疎水性化合物及び親水性化合物は粒子として使用される。該平均粒度は、通常、０．００１〜１０μｍ、好ましくは０．００２〜５μｍ、特に好ましくは０．００５〜１μｍ及び極めて特に好ましくは０．０１〜０．１μｍである。粒度分布の測定法は、フラウンホーファーによる回折スペクトルの分析をベースとしている。該分析は標準的にMastersizer S、Malvern社のレーザー装置を用いて実施される。熱分解法酸化アルミニウム、熱分解法ケイ酸又はその混合物が特に好ましい。熱分解法ケイ酸と０質量％を上回り２０質量％までの熱分解法酸化アルミニウムとの混合物、並びに熱分解法ケイ酸が極めて特に好ましい。平均一次粒子径は、好ましくは５〜５０ｎｍ、特に好ましくは１０〜２０ｎｍであり、かつ比表面積は、好ましくは１０〜１０００ｍ２／ｇ、特に好ましくは８０〜３８０ｍ２／ｇである。吸収性ヒドロゲルに対して、疎水性の、疎水化されるもしくは親水性の化合物は、典型的には０．００５〜２０質量％、好ましくは０．０５〜１０質量％、特に好ましくは０．１〜５質量％、極めて特に好ましくは１質量％未満、使用される。
【００３９】
疎水化された酸化アルミニウム及び／又はケイ酸は、例えば親水性の酸化アルミニウム及び／又はケイ酸とヘキサメチルジシラザン又はジメチルジクロロシランとの反応により得られることができる。
【００４０】
疎水性化合物及び親水性化合物は、好ましくは乾燥された吸水性ヒドロゲルと混合される。乾燥は、好ましくは２０質量％未満、特に好ましくは１０質量％未満の含水量を意味する。混合の種類は制限を受けないが、好ましくは、反応ミキサー又は混合装置及び乾燥装置、例えばLoedige（登録商標）−ミキサー、BEPEX（登録商標）−ミキサー、NAUTA（登録商標）−ミキサー、SCHUGGI（登録商標）−ミキサー、NARA（登録商標）−乾燥器及びPROCESSALL（登録商標）が使用される。そのうえ、流動層乾燥器も使用されることができる。該混合は、好都合には、１〜１８０分、好ましくは２〜２０分、特に好ましくは５〜２０分の滞留時間、及び１０〜１０００rpm、好ましくは５０〜３００rpm、特に好ましくは５０〜２５０rpmの回転数で実施される。
【００４１】
本発明のさらなる対象は、次の工程を含んでいる吸収性ヒドロゲルの後処理方法である：
・少なくとも１つの多価金属イオン、多価金属イオンの溶液、水溶性カチオン性ポリマー及び／又は水溶性ポリマーの溶液、好ましくは多価金属イオン、例えばＡｌ３＋、Ｆｅ２＋、Ｆｅ３＋、Ｔｉ３＋、Ｔｉ４＋、Ｃｏ２＋、Ｎｉ２＋、Ｃｒ３＋、Ｍｎ２＋、Ｚｎ２＋、Ｍｇ２＋、Ｃａ２＋、Ｚｒ３＋、Ｚｒ４＋、特に好ましくはＡｌ３＋で後処理する工程。
・少なくとも１つの疎水性化合物、好ましくは疎水性の及び／又は疎水化された粘土鉱物、疎水化された酸化アルミニウム及び／又は疎水化されたケイ酸、特に好ましくは疎水化された酸化アルミニウム及び／又は疎水化されたケイ酸、例えばAerosil（登録商標） R 812、Aerosil（登録商標） R 974又はAerosil（登録商標） R 8200 (Degussa Aktiengesellschaft、DE)で後処理する工程。
・場合により、少なくとも１つの親水性化合物、好ましくは親水性の粘土鉱物、酸化アルミニウム及び／又はケイ酸、特に好ましくは酸化アルミニウム及び／又はケイ酸、例えばAerosil（登録商標） 200 (Degussa Aktiengesellschaft、DE)で後処理する工程。
・場合により、少なくとも１つのアニオン性の、カチオン性の及び／又は非イオン性の界面活性剤、好ましくは非イオン性界面活性剤、例えば２〜１８のＨＬＢ−値を有するソルビタンエステルで後処理する工程、特に好ましくはSpan（登録商標） 80 (Uniqema、NL)である。
【００４２】
多価金属イオンの対イオンは制限を受けないが、溶剤を使用する場合に、十分な溶解度を保証する対イオンが好ましく、硫酸塩が好ましい。好ましくは該金属イオンは溶液として計量供給される。溶剤として水が特に好ましい。水溶液中の多価金属イオンの濃度は、典型的には１〜２０質量％、好ましくは２〜１０質量％である。
【００４３】
吸収性ヒドロゲルに対して、多価金属イオンは、典型的には０．０５〜４質量％、好ましくは０．１〜２質量％、特に好ましくは０．２〜１質量％使用される。
【００４４】
好ましくは、界面活性剤は溶液として計量供給される。溶剤としてジエチレングリコールモノブチルエーテルが特に好ましい。溶液中の界面活性剤の濃度は、典型的には５〜７０質量％、好ましくは１０〜５０質量％、特に好ましくは２０〜３０質量％である。
【００４５】
吸収性ヒドロゲルに対して、界面活性剤は、典型的には０．０１〜４質量％、好ましくは０．０５〜２質量％、特に好ましくは０．１〜１質量％使用される。
【００４６】
後処理剤が計量供給される順序は制限を受けないが、次の順序
・多価金属イオン、多価金属イオンの溶液、水溶性カチオン性ポリマー及び／又は水溶性ポリマーの溶液、
・一緒に又は任意の順序で別個に、親水性化合物及び疎水性化合物
・表面活性化合物、例えば界面活性剤、並びにそれらの溶液
が好ましく、その際に、好ましくは多価金属イオン及び疎水性化合物のみが後処理に使用される。
【００４７】
溶解された後処理剤は、好ましくは乾燥された吸水性ヒドロゲル上へ噴霧され、かつ混合される。混合の種類は制限を受けないが、好ましくは、反応ミキサー又は混合装置及び乾燥装置、例えばLoedige（登録商標）−ミキサー、BEPEX（登録商標）−ミキサー、NAUTA（登録商標）−ミキサー、SCHUGGI（登録商標）−ミキサー、NARA（登録商標）−乾燥器及びPROCESSALL（登録商標）が使用される。そのうえ、流動層乾燥器が使用されることもできる。混合は、好都合には、１〜１８０分、好ましくは２〜１５分の滞留時間及び１０〜１０００rpm、好ましくは５０〜３００rpm、特に好ましくは５０〜２５０rpmの回転数で実施される。
【００４８】
最後の工程の後に乾燥されることができる。該乾燥は、ミキサー自体中で、ジャケットの加熱又は熱気の吹き込みにより行われることができる。同じように適しているのは、後接続された乾燥器、例えば箱形乾燥器(Hordentrockner)、回転管炉又は加熱可能なスクリューである。しかしまた例えば乾燥方法として共沸蒸留が利用されることもできる。
【００４９】
本発明による方法における好ましい乾燥温度は、５０〜２５０℃の範囲内、好ましくは５０〜２００℃、特に好ましくは５０〜１５０℃である。反応ミキサー又は乾燥器中でのこの温度での滞留時間は、好都合には、３０分未満、好ましくは１０分未満である。
【００５０】
該乾燥は、好ましくは減圧で、好ましくは５００mbar未満で、特に好ましくは２００mbar未満で実施され、かつ場合により２０〜１０００ ｌ／ｋｇｈ、好ましくは１００〜２５０ ｌ／ｋｇｈの量で乾燥したガス流、好ましくは窒素により促進される。
【００５１】
好ましくは、吸収性ヒドロゲルは、本発明による方法において付加的に親水性有機化合物で後処理される。親水性有機化合物は、超吸収体上への粒状の後処理剤の固定を改善する。適している親水性有機化合物は、例えば、１００〜６，０００ｇ／mol、好ましくは２００〜３，０００ｇ／mol、特に好ましくは２５０〜１，０００ｇ／molの平均分子量を有する低級の水溶性ポリオールである。
【００５２】
好ましい親水性有機化合物は、樹枝状(dendritische)ポリマー、高分枝状ポリマー、例えばポリグリセリン、ポリエチレングリコール、ポリプロピレングリコール、エチレンオキシド及びプロピレンオキシドのランダムコポリマー又はブロックコポリマーである。このために適しているさらなる化合物は、ポリヒドロキシ化合物、例えばグリセリン、ソルビトール、トリメチロールプロパン、トリメチロールエタン、ペンタエリトリトールのポリエトキシラート又はポリプロポキシラートである。このための例は、ｎ回エトキシル化されたトリメチロールプロパン又はグリセリンであり、ここでｎは１〜１００の整数を表す。さらなる例は、ブロックコポリマー、例えば全部でｎ回エトキシル化され、かつついでｍ回プロポキシル化されたトリメチロールプロパン又はグリセリンであり、ここでｎは１〜４０の整数を表し、かつｍは１〜４０の整数を表す。該ブロックの順序は逆であってもよい。
【００５３】
該親水性有機化合物は、各後処理工程の前、間又は後に、好ましくは疎水性有機化合物での、特に好ましくは多価金属イオンと一緒の、後処理の前に、添加されることができる。
【００５４】
該親水性有機化合物は、２３℃で液体であり、かつ２３℃で３０００mPas未満、好ましくは１５００mPas未満、より好ましくは１０００mPas未満、特に好ましくは５００mPas未満、極めて特に好ましくは３００mPas未満の粘度を有する。
【００５５】
該親水性有機化合物は、乾燥されたヒドロゲルに対して、通常、０．０１〜２質量％、好ましくは０．１〜１質量％、特に好ましくは０．３５〜０．７５質量％の量で使用される。
【００５６】
本発明のさらなる対象は、例えば本発明による方法により得ることができる架橋された吸水性ポリマー、特に、少なくとも１０ｇ／ｇ、好ましくは少なくとも１５ｇ／ｇ、特に好ましくは少なくとも１９ｇ／ｇ、極めて特に好ましくは少なくとも２２ｇ／ｇ及び殊に好ましくは少なくとも２５ｇ／ｇの血液吸収、１２０秒未満、好ましくは１００秒未満、特に好ましくは９０秒未満、極めて特に好ましくは８０秒未満及び殊に好ましくは７０秒未満の凝固時間、及び／又は濃化すべき血液及び／又は体液を含有する溶液１０〜９５％、好ましくは４０〜９０％、特に好ましくは６５〜８０％が液体表面から出発して濃化される浮遊挙動を有する吸収性ヒドロゲル、並びに特に衛生用品における、血液及び／又は体液を吸収するため、又は水溶液及び／又は懸濁液を濃化するため、特に医療廃棄物を濃化するための、それらの使用である。
【００５７】
本発明のさらなる対象は、本発明による超吸収体を含有する衛生用品である。
【００５８】
本発明による方法において使用可能な膨潤可能なヒドロゲル形成性ポリマーは、特に架橋された（共）重合された親水性モノマーからなるポリマー、ポリアスパラギン酸、適しているグラフトベース上の１つ又はそれ以上の親水性モノマーのグラフト（コ）ポリマー、架橋されたセルロースエーテルもしくは架橋されたデンプンエーテル又は水性液体中に膨潤可能な天然物、例えばグァー誘導体である。好ましくは、架橋すべきポリマーは、アクリル酸又はそのエステルから誘導されるか、又は水溶性ポリマーマトリックス上へのアクリル酸又はアクリル酸エステルのグラフト共重合により得られた構造単位を有するポリマーである。これらのヒドロゲルは当業者に公知であり、かつ例えばUS-4,286,082、DE-C-27 06 135、US-A-4,340,706、DE-C-37 13 601、DE-C-28 40 010、DE-A-43 44 548、DE-A-40 20 780、DE-A-40 15 085、DE-A-39 17 846、DE-A-38 07 289、DE-A-35 33 337、DE-A-35 03 458、DE-A-42 44 548、DE-A-42 19 607、DE-A-40 21 847、DE-A-38 31 261、DE-A-35 11 086、DE-A-31 18 172、DE-A-30 28 043、DE-A-44 18 881、EP-A-0 801 483、EP-A-0 455 985、EP-A-0 467 073、EP-A-0 312 952、EP-A-0 205 874、EP-A-0 499 774、DE-A 26 12 846、DE-A-40 20 780、EP-A-0 205 674、US-A-5,145,906、EP-A-0 530 438、EP-A-0 670 073、US-A-4,057,521、US-A-4,062,817、US-A-4,525,527、US-A-4,295,987、US-A-5,011,892、US-A-4,076,663又はUS-A-4,931,497に記載されている。
【００５９】
これらの膨潤可能なヒドロゲル形成性ポリマーの製造に適している親水性モノマーは、例えば重合することのできる酸、例えばアクリル酸、メタクリル酸、ビニルスルホン酸、ビニルホスホン酸、無水物を含めてマレイン酸、フマル酸、イタコン酸、２−アクリルアミド−２−メチルプロパンスルホン酸、２−アクリルアミド−２−メチルプロパンホスホン酸並びにそれらのアミド、ヒドロキシアルキルエステル及びアミノ基含有又はアンモニウム基含有のエステル及びアミド並びに酸基のアルカリ金属塩及び／又はアンモニウム塩を含有しているモノマーである。さらに、水溶性Ｎ−ビニルアミド、例えばＮ−ビニルホルムアミド又はまたジアリルジメチル−アンモニウムクロリドが適している。好ましい親水性モノマーは、一般式Ｉ
【００６０】
【化１】
2007525568.tif 000002
［式中、
Ｒ１は水素、メチル、エチル又はカルボキシルを表し、
Ｒ２は−ＣＯＯＲ４、ヒドロキシスルホニル又はホスホニル、Ｃ１〜Ｃ４−アルカノールでエステル化されたホスホニル基又は式ＩＩ
【００６１】
【化２】
2007525568.tif 000003
で示される基を表し、
Ｒ３は水素、メチル又はエチルを表し、
Ｒ４は水素、Ｃ１〜Ｃ４−アミノアルキル、Ｃ１〜Ｃ４−ヒドロキシアルキル、アルカリ金属イオン又はアンモニウムイオンを表し、かつ
Ｒ５はスルホニル基、ホスホニル基又はカルボキシル基又はその都度それらのアルカリ金属塩又はアンモニウム塩を表す］で示される化合物である。
【００６２】
Ｃ１〜Ｃ４−アルカノールの例は、メタノール、エタノール、ｎ−プロパノール、イソプロパノール又はｎ−ブタノールである。
【００６３】
特に好ましい親水性モノマーは、アクリル酸及びメタクリル酸、並びにそれらのアルカリ金属塩又はアンモニウム塩、例えばナトリウムアクリレート、カリウムアクリレート又はアンモニウムアクリレートである。
【００６４】
オレフィン系不飽和酸又はそれらのアルカリ金属塩又はアンモニウム塩のグラフト共重合により得ることができる親水性ヒドロゲルのために適しているグラフトベースは、天然由来又は合成由来であってよい。例は、デンプン、セルロース又はセルロース誘導体並びに他の多糖類及びオリゴ糖類、ポリアルキレンオキシド、特にポリエチレンオキシド及びポリプロピレンオキシド、並びに親水性ポリエステルである。
【００６５】
適しているポリアルキレンオキシドは、例えば、式ＩＩＩ
【００６６】
【化３】
2007525568.tif 000004
［式中、
Ｒ６、Ｒ７は互いに独立して水素、アルキル、アルケニル又はアリールを表し、
Ｒ８は水素又はメチルを表し、かつ
ｎは１〜１００００の整数を表す］を有する。
【００６７】
Ｒ６及びＲ７は、好ましくは水素、Ｃ１〜Ｃ４−アルキル、Ｃ２〜Ｃ６−アルケニル又はフェニルを表す。
【００６８】
好ましいヒドロゲルは、特にポリアクリレート、ポリメタクリレート並びにUS-4,931,497、US-5,011,892及びUS-5,041,496に記載されているグラフトポリマーである。
【００６９】
膨潤可能なヒドロゲル形成性ポリマーは好ましくは架橋されている、すなわちこれらは、ポリマーネットワーク中へ重合導入されている少なくとも２つの二重結合を有する化合物を有する。適している架橋剤は、特にＮ，Ｎ’−メチレンビスアクリルアミド及びＮ，Ｎ’−メチレンビスメタクリルアミド、ジアクリレート又はトリアクリレートのようなポリオールの不飽和モノ−又はポリカルボン酸のエステル、例えばブタンジオール−又はエチレングリコールジアクリレートもしくは−メタクリレート並びにトリメチロールプロパントリアクリレート及びアリル化合物、例えばアリル（メタ）アクリレート、トリアリルシアヌレート、マレイン酸ジアリルエステル、ポリアリルエステル、テトラアリルオキシエタン、トリアリルアミン、テトラアリルエチレンジアミン、リン酸のアリルエステル並びに例えばEP-A-0 343 427に記載されているようなビニルホスホン酸誘導体である。本発明による方法においてさらに使用可能であるのは、架橋剤としてのポリアリルエーテルの使用下に及びアクリル酸の酸性単独重合により製造されるヒドロゲルでもある。適している架橋剤は、ペンタエリトリトールトリ−及び−テトラアリルエーテル、ポリエチレングリコールジアリルエーテル、エチレングリコールジアリルエーテル、グリセリンジ−及びトリアリルエーテル、ソルビトールをベースとするポリアリルエーテル、並びにそれらのエトキシル化された変体である。
【００７０】
本発明による方法において使用可能な原ポリマーのための好ましい製造方法は、“Modern Superabsorbent Polymer Technology”, F.L. Buchholz and A.T. Graham, Wiley-VCH, 1998, 77〜84頁に記載されている。例えばWO-A-01/38402に記載されているようなニーダー中で、又は例えばEP-A-0 955 086に記載されているようなベルト反応器上で製造される原ポリマーが特に好ましい。
【００７１】
吸水性ポリマーは、好ましくは高分子アクリル酸又はポリアクリレートである。この吸水性ポリマーの製造は、文献から公知の方法により行われることができる。架橋するコモノマーを０．００１〜１０mol％、好ましくは０．０１〜１mol％の量で含有するポリマーが好ましいが、しかしながらラジカル重合により得られ、かつ付加的にさらに少なくとも１つの遊離ヒドロキシル基を有する多官能性のエチレン系不飽和ラジカル架橋剤（例えばペンタエリトリトールトリアリルエーテル又はトリメチロールプロパンジアリルエーテル）が使用されたポリマーが極めて特に好ましい。
【００７２】
膨潤可能なヒドロゲル形成性ポリマーは、それ自体として公知の重合方法により製造されることができる。いわゆるゲル重合の方法による水溶液中での重合が好ましい。その際に、例えば、１つ又はそれ以上の親水性モノマー及び場合により適しているグラフトベースの１５〜５０質量％水溶液はラジカル開始剤の存在で、好ましくは機械的混合なしにトロムスドルフ−ノーリッシュ(Norrish)−効果を利用して(Makromol. Chem. 1, 169 (1947))、重合される。該重合反応は０〜１５０℃、好ましくは１０〜１００℃の温度範囲で、常圧で並びに高められた圧力又は低下された圧力下に実施されることができる。通常のように、該重合は保護ガス雰囲気中で、好ましくは窒素下に、実施されることもできる。重合を開始するためには、高エネルギー電磁放射線又は常用の化学的重合開始剤、例えば有機過酸化物、例えば過酸化ベンゾイル、ｔ−ブチルヒドロペルオキシド、メチルエチルケトンペルオキシド、クメンヒドロペルオキシド、アゾ化合物、例えばアゾジイソブチロニトリル並びに無機ペルオキソ化合物、例えば（ＮＨ４）２Ｓ２Ｏ８又はＫ２Ｓ２Ｏ８又はＨ２Ｏ２が採用されることができる。これらは、場合により還元剤、例えば亜硫酸水素ナトリウム及び硫酸鉄（ＩＩ）、又は還元する成分として脂肪族及び芳香族のスルフィン酸、例えばベンゼンスルフィン酸及びトルエンスルフィン酸又はこれらの酸の誘導体を含有するレドックス系、例えばDE-A-13 01 566に記載されているようなスルフィン酸、アルデヒド及びアミノ化合物からなるマンニッヒ付加物との組合せで使用されることができる。ポリマーゲルを５０〜１３０℃、好ましくは７０〜１００℃の温度範囲内で数時間、後加熱することにより、ポリマーの品質特性はさらに改善されることができる。
【００７３】
得られたゲルは、使用されるモノマーに対して、例えば０〜１００mol％、好ましくは２５〜１００mol％及び特に好ましくは５０〜８５mol％中和され、その際に常用の中和剤、好ましくはアルカリ金属水酸化物又はアルカリ金属酸化物、しかしながら特に好ましくは水酸化ナトリウム、炭酸ナトリウム及び炭酸水素ナトリウムが使用されることができる。
【００７４】
通常、中和は、水溶液として又は好ましくはまた固体としての中和剤の混入により達成される。該ゲルはこのためには機械的に、例えば肉挽き機を用いて粉砕され、かつ中和剤は、噴霧されるか、散布されるか又は注がれ、ついで注意深く混合される。そのためには得られるゲル塊は、さらに何度も均質化のために挽かれることができる。中和されたゲル塊は、ついで、ベルト乾燥器又はドラム乾燥器を用いて、残留湿分量が好ましくは１０質量％未満、特に５質量％未満になるまで乾燥される。乾燥されたヒドロゲルはこの後で粉砕され、かつふるい分けされ、その際に粉砕のために通常、ロールミル、ピンミル(Stiftmuehlen)又はスイングミルが使用されることができる。ふるい分けされたヒドロゲルの粒度は、好ましくは、４５〜１０００μｍの範囲内、特に好ましくは４５〜８５０μｍ、極めて特に好ましくは１００〜８００μｍ及びさらにより好ましくは１００〜７００μｍである。
【００７５】
ヒドロゲル及び超吸収体の後架橋は、通常、表面後架橋剤の溶液が、乾燥したベースポリマー粉末上へ噴霧されるようにして実施される。噴霧に引き続いて、該ポリマー粉末は熱乾燥され、その際に該架橋反応は、乾燥の前並びに間に行われることができる。
【００７６】
反応ミキサー又は混合装置及び乾燥装置、例えばLoedige（登録商標）−ミキサー、BEPEX（登録商標）−ミキサー、NAUTA（登録商標）−ミキサー、SCHUGGI（登録商標）−ミキサー、NARA（登録商標）−乾燥器及びPROCESSALL（登録商標）中で架橋剤の溶液を噴霧することが好ましい。そのうえ、流動層乾燥器も使用されることができる。
【００７７】
乾燥は、ミキサー自体中でジャケットの加熱又は熱気の吹き込みにより行われることができる。同じように適しているのは、後接続された乾燥器、例えば箱形乾燥器、回転管炉又は加熱可能なスクリューである。しかしまた、例えば共沸蒸留も乾燥方法として利用されることができる。
【００７８】
好ましい乾燥温度は、５０〜２５０℃の範囲内、好ましくは５０〜２００℃及び特に好ましくは５０〜１５０℃である。反応ミキサー又は乾燥器中でこの温度で好ましい滞留時間は、３０分未満、特に好ましくは１０分未満である。
【００７９】
該架橋剤は、好ましくは自己反応性(selbst-reaktiven)でない溶剤中、好ましくは低級アルコール、例えばメタノール、エタノール、プロパンジオール、エチレングリコール中で、極めて特に好ましくはそのような適しているアルコールの水溶液中に溶解され、その際に該溶液のアルコール含量は１０〜９０質量％、特に好ましくは４０〜６０質量％である。
【００８０】
その際に該架橋剤は、使用されるポリマーに対して、０．０１〜１質量％の量で使用され、かつ該架橋剤溶液自体は、使用されるポリマーに対して、１〜２０質量％、好ましくは５〜１５質量％の量で使用される。
【００８１】
本発明により後架橋された吸水性ポリマーのＡＵＬ−０．７psi−値［ｇ／ｇ］は、DE-A-199 09 653に記載された方法により測定されることができ、かつ好ましくは１０より大きく、特に１５より大きく、特に好ましくは２０より大きく、殊に２５より大きく、殊に好ましくは３０より大きい。
【００８２】
本発明により後処理され、水性液体を吸収するヒドロゲルは、特に水溶液及び／又は懸濁液の濃化、好ましくは水性の廃棄物溶液及び／又は廃棄物懸濁液、例えば医療廃棄物及び／又は放射性廃棄物の濃化、極めて特に好ましくは医療廃棄物溶液の濃化及び／又は特に好ましくは医療廃棄物溶液及び／又は医療廃棄物懸濁液の濃化に適している。
【００８３】
本発明により後処理され、水性液体を吸収するヒドロゲルは、しかし、衛生用品、例えば失禁用品、ナプキン、タンポン、ライナーにおける血液及び／又は体液の吸収にも適している。そのためには、本発明により後処理され、水性液体を吸収するヒドロゲルは、繊維、例えばセルロース、並びに繊維ウェブ(Faservlies)と共に吸収性複合材料へ加工されることができる。
【００８４】
疎水性材料及び親水性材料での後処理により、少なくとも部分的に液状の廃棄物、特に少なくとも部分的に液状の医療廃棄物を処理する際に、該コンテナ中での超吸収体の均一な分布が達成され、その際に超吸収体の少なくとも一部が初めに溶液の表面上で浮遊する。
【００８５】
本発明によれば、同様に、本発明による方法により製造された生成物と、殺生物性の、抗微生物性の及び／又は抗菌性の物質及び／又は香料又は芳香剤、安定剤、染料、ｐＨ−指示薬及び／又は他の助剤との混合物である。
【００８６】
本発明による後処理の品質を決定するために、乾燥されたヒドロゲルは、以下に記載されている試験方法を用いて試験される：
方法：
血液吸収（ＢＡ）：
この方法は、３０分以内の超吸収体の血液吸収の決定に利用される。
【００８７】
試験構成：
・プラスチックコンテナ、丸い、内径５０±０．２ｍｍ、内のり高さ２０±０．２ｍｍ（コンテナＩ）
・網材（４００メッシュ＝３６μｍの大きさの孔）を有するプラスチックシリンダー、内径２５±０．２ｍｍ、高さ４０±０．２ｍｍ（コンテナＩＩ）
・ふたを有するペトリ皿、直径１４０ｍｍ、高さ７５ｍｍ
・ストップウォッチ
・±０．０００１ｇの精度を有する分析てんびん。
・Oxoid GmbH社、D-46467 Weselの繊維素除去された羊血液。
【００８８】
試験実施：
超吸収体０．２ｇを、空質量を前もって測定したコンテナＩＩ中にはかり取る。コンテナＩには、繊維素除去された羊血液１５ｇを投入する。コンテナＩＩを目下コンテナＩ中に置き、この構成をペトリ皿中に置き、ペトリ皿をふたにより密閉し、かつ時間測定を開始する。３０分の時間の後にコンテナＩＩをコンテナＩから取り出し、コンテナＩＩの外側を布できれいにし、かつコンテナＩＩの質量を引き続いて測定する。この質量及びコンテナＩＩの空質量並びに使用された超吸収体−塊状物（０．２ｇ）の差から、吸収された血液量及びこれから血液吸収を計算する。
【００８９】
計算：
【００９０】
【数１】
2007525568.tif 000005
【００９１】
凝固時間（Solidification Time ＳＴ）：
この方法は、超吸収体が０．９質量％ＮａＣｌ溶液２リットルを凝固させるために必要とする時間を決定するための実験室法として利用され、それゆえ病院廃棄物又は医療廃棄物の濃化の規格にかなった実験室試験である。
【００９２】
試験構成：
・１２ｃｍの内径、２８ｃｍの高さ及び３リットルの内容積を有する円筒形のガラスコンテナ
・完全脱塩水９９１０ｍｌ中にＮａＣｌ ９０ｇを溶解させることにより製造した、０．９質量％ＮａＣｌ溶液２リットル
・ストップウォッチ
試験実施：
ガラスコンテナに０．９質量％ＮａＣｌ溶液２ｌを投入する。引き続いて超吸収体６７ｇを一度に溶液に添加し、かつ溶液の完全凝固までの時間を測定する。
【００９３】
浮遊挙動（ＳＶ）：
調べるべき超吸収体の浮遊挙動を、凝固時間と共に決定する。その際に測定の間に目視による決定が行われる。
【００９４】
液体表面上で浮遊する超吸収体粒子は、液体表面から出発してコンテナ底部の方向へ膨潤する。底部へ沈む超吸収体粒子は、コンテナ底部から出発して液体表面の方向へ膨潤する。
【００９５】
０％の浮遊挙動は、全ての超吸収体粒子が直ちに底部へ沈み、かつ濃化すべき液体が専らコンテナ底部から出発して濃化されるように定義されている。膨潤最前線は、その際にコンテナ底部から液体表面まで移動する。
【００９６】
１００％の浮遊挙動は、全ての超吸収体粒子が液体表面上で浮遊し、かつ濃化すべき液体が専ら液体表面から出発して濃化されるように定義されている。膨潤最前線は、その際に液体表面からコンテナ底部まで移動する。
【００９７】
５０％の浮遊挙動は、超吸収体粒子が部分的に直ちに底部へ低下し、かつ部分的に液体表面上で浮遊するように定義されているので、双方の膨潤最前線はコンテナ底部と液体表面との間の中央で出会う。
【実施例】
【００９８】
例１〜３１：
型式M5/20実験室バッチミキサーのLoedige（登録商標）−プラウシェアミキサー中に、商業的に入手可能な、水性液体を吸収するヒドロゲル(Hysorb F)１ｋｇを装填し、
場合により、硫酸アルミニウムの示された量を２６．８質量％水溶液として噴霧し、かつ１０分間後混合し、かつ
場合により、Aerosil（登録商標）R 812、Aerosil（登録商標）R 974、Aerosil（登録商標）R 8200及び／又はAerosil（登録商標）200の示された量を添加し、かつ１５分間後混合し、かつ
場合により、Span（登録商標）80の示された量をジエチレングリコールモノブチルエーテル中の２５質量％溶液として噴霧し、かつ１０分間後混合した。
【００９９】
ミキサーの回転数は１２５rpmであった。
【０１００】
硫酸アルミニウム水溶液が噴霧された例において、付加的に乾燥させた。７０℃、１５０mbarの圧力及び１６時間の滞留時間で乾燥させた。該乾燥を窒素２００ ｌ／ｈのガス流により促進させた。
【０１０１】
結果は次の表にまとめられている。
【０１０２】
【表１】
2007525568.tif 000006
【０１０３】
【表２】
2007525568.tif 000007
Hysorb（登録商標） F: 超吸収性ヒドロゲル (BASF Aktiengesellschaft、DE)
Aerosil（登録商標） R 812: 疎水化された熱分解法ケイ酸 (Degussa、DE)
Aerosil（登録商標） R 974: 疎水化された熱分解法ケイ酸 (Degussa、DE)
Aerosil（登録商標） R 8200: 疎水化された熱分解法ケイ酸 (Degussa、DE)
Aerosil（登録商標） 200: 親水性の熱分解法ケイ酸 (Degussa、DE)
Span（登録商標） 80: ソルビタンモノオレエート (Uniqema、NL)。
【０１０４】
硫酸アルミニウム溶液での噴霧（例６〜８）は、取るに足らない改善された血液吸収及び幾分短縮された凝固時間をもたらす。そのために必要な硫酸アルミニウム量は高い。硫酸アルミニウムのみで処理されたヒドロゲルの浮遊挙動は不十分である。
【０１０５】
疎水化された熱分解法ケイ酸とのブレンド（例９及び１０）は、確かに浮遊可能なヒドロゲルをもたらすが、しかし血液吸収は劇的に悪化している。
【０１０６】
Span（登録商標）80での噴霧（例１１〜１４）は、改善された製品特性をもたらさなかった。このことは、同じように熱分解法ケイ酸とのブレンド（例３０及び３１）に当てはまる。
【０１０７】
それゆえ、後処理のいずれも単独で本発明による性質を有する製品をもたらさない。
【０１０８】
疎水化されたケイ酸の僅かな量での乾燥されたヒドロゲルの後処理により、卓越した浮遊挙動を有するヒドロゲルが得られた。例３において、ヒドロゲル上のケイ酸粒子の結合を改善するために、３００ｇ／molの平均分子量を有するポリエチレングリコール０．３５質量％を付加的に添加した。
【０１０９】
熱分解法ケイ酸及び疎水化された熱分解法ケイ酸とのブレンド（例４及び５）は、卓越した浮遊挙動を有するヒドロゲルをもたらす。
【０１１０】
硫酸アルミニウム溶液と一緒の熱分解法ケイ酸の使用（例１５〜１８）は、増大した血液吸収及び短縮された凝固時間をもたらす。しかし該後処理されたヒドロゲルは浮遊能力を持っていない。
【０１１１】
硫酸アルミニウム溶液と一緒のSpan（登録商標） 80の使用（例２０及び２１）は、同様に増大した血液吸収及び短縮された凝固時間をもたらす。しかしまた該後処理されたヒドロゲルは浮遊能力を持っていない。
【０１１２】
熱分解法ケイ酸と一緒のSpan（登録商標）80の使用（例２２及び２３）は浮遊能力を持ったヒドロゲルを提供する。不利であるのは、ヒドロゲル含分が沈まず、かつ凝固時間が変わらず長いことである。
【０１１３】
同じように、硫酸アルミニウム溶液及び疎水化された熱分解法ケイ酸の使用（例２４及び２５）は浮遊能力を持ったヒドロゲルをもたらす。しかしここでも不利であるのは、ヒドロゲル含分が沈まないことである。血液吸収は、ごく僅かに高められており、かつ凝固時間は、ごく僅かに短縮されている。
【０１１４】
三段階の後処理：ａ）硫酸アルミニウム溶液での噴霧、ｂ）熱分解法ケイ酸とのブレンド及びｃ）Span（登録商標） 80−溶液での噴霧（例１９）は、良好な浮遊挙動及び短縮された凝固時間を有するヒドロゲルをもたらす。しかし血液吸収は出発製品に比較して減少している。
【０１１５】
極めて特に有利な性質の概要は、四段階の後処理：ａ）硫酸アルミニウム溶液での噴霧、ｂ）熱分解法ケイ酸及びｃ）疎水化された熱分解法ケイ酸とのブレンド並びにｄ）Span（登録商標）80−溶液での噴霧（例２６〜２９）を用いて達成される。こうして後処理されたヒドロゲルは、明らかに改善された血液吸収並びに最適な浮遊挙動を示す。該ヒドロゲルは部分的に溶液上で浮遊し、かつ膨潤するヒドロゲルはそれゆえ液体表面を上の方へ遮断し、他方ではヒドロゲル含分は沈み、かつ改善された血液吸収に基づいて極めて短い凝固時間をもたらす。
【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
浮遊挙動を有するヒドロゲルにおいて、該ヒドロゲルが５０〜８５mol％中和され、かつ疎水性化合物及び場合により親水性化合物で後処理されており、０．９質量％食塩溶液の４０〜９０％が液体表面から出発して、かつ０．９質量％食塩溶液の残りの部分がコンテナ底部から出発して濃化され、かつ０．９質量％食塩溶液２リットルがヒドロゲル９０ｇで凝固される凝固時間が１２０秒未満及び／又は血液吸収が少なくとも１０ｇ／ｇであることを特徴とする、浮遊挙動を有するヒドロゲル。
【請求項２】
凝固時間が８０秒未満及び／又は血液吸収が少なくとも１５ｇ／ｇである、請求項１記載のヒドロゲル。
【請求項３】
乾燥させたヒドロゲルを、疎水性化合物及び場合により親水性化合物で後処理することを特徴とする、請求項１又は２記載のヒドロゲルの製造方法。
【請求項４】
疎水性化合物及び場合により親水性化合物が、０．００１〜１０μｍの平均直径を有する粒子である、請求項３記載の方法。
【請求項５】
疎水性化合物が、疎水化されたケイ酸又はケイ酸と酸化アルミニウムとからなる疎水化された混合物である、請求項３又は４記載の方法。
【請求項６】
親水性化合物が、ケイ酸又はケイ酸と酸化アルミニウムとからなる混合物である、請求項３から５までのいずれか１項記載の方法。
【請求項７】
ヒドロゲルを、付加的に多価カチオン及び場合により界面活性剤で後処理する、請求項３から６までのいずれか１項記載の方法。
【請求項８】
多価カチオンがアルミニウムイオンである、請求項７記載の方法。
【請求項９】
界面活性剤がソルビタンエステルである、請求項７又は８記載の方法。
【請求項１０】
多価カチオンを水溶液として計量供給し、かつ界面活性剤が１８未満のＨＬＢ−値を有する、請求項７から９までのいずれか１項記載の方法。
【請求項１１】
後処理したヒドロゲルを乾燥させる、請求項３から１０までのいずれか１項記載の方法。
【請求項１２】
血液及び／又は体液の吸収のため又は水溶液及び／又は懸濁液の濃化のための、請求項１又は２記載のヒドロゲルの使用。
【請求項１３】
医療廃棄物の濃化のための、請求項１又は２記載のヒドロゲルの使用。
【請求項１４】
衛生用品における、請求項１２記載の使用。
【請求項１５】
請求項１又は２のいずれか１項記載のヒドロゲルを含有している、衛生用品。
【請求項１６】
請求項３から１１までのいずれか１項により製造された生成物と、殺生物性、抗微生物性及び／又は抗菌性の物質及び／又は香料又は芳香剤、安定剤、染料、ｐＨ−指示薬及び／又は他の助剤との混合物。